(57)【要約】【課題】  ユーザー等が撮影動作音を聞き取ることができないおそれがあるときには、撮影動作を行なわないようにする撮像機能付き携帯端末装置を提供する。【解決手段】  撮像部２と、この撮像部による撮影動作時に擬似的な撮影動作音を出力するスピーカー２２と、操作部１６と、これらを制御する制御部３８とを筐体６，８に備え、筐体にスピーカーの放音孔２２ａが形成され、利用することができる複数の機能のそれぞれに対応する複数のモードの中から所定のモードを起動することにより撮像部に撮影動作を行なわせることができるようになる撮像機能付き携帯端末装置３０であって、放音孔の少なくとも一部が塞がれた場合にこれを検出する検出部３２を設け、制御部は、操作部による所定のモードを起動する操作の際に検出部により放音孔の少なくとも一部が塞がれていることが検出された場合に、所定のモードを起動しないように制御するようにした。【選択図】      図１
2005244809.tif 000002
【特許請求の範囲】
【請求項１】
撮像部と、この撮像部による撮影動作時に擬似的な撮影動作音を出力するスピーカーと、操作部と、前記撮像部及び前記スピーカーのそれぞれを制御する制御部とを筐体に備え、
前記筐体に前記スピーカーの放音孔を有する撮像機能付き携帯端末装置であって、
前記放音孔の少なくとも一部が塞がれた場合にこれを検出する検出部を設け、
前記制御部は、前記操作部の操作によって前記撮像部による撮影を可能とする撮影モードを起動する際に前記検出部により前記放音孔の少なくとも一部が塞がれていることが検出された場合に、前記撮影モードを起動しないように制御することを特徴とする撮像機能付き携帯端末装置。
【請求項２】
前記撮影モードを起動しない場合に、その旨を報知する報知部を備えることを特徴とする請求項１に記載の撮像機能付き携帯端末装置。
【請求項３】
撮像部と、この撮像部による撮影動作時に擬似的な撮影動作音を出力するスピーカーと、操作部と、前記撮像部及び前記スピーカーのそれぞれを制御する制御部とを筐体に備え、
前記筐体に前記スピーカーの放音孔を有する撮像機能付き携帯端末装置であって、
前記放音孔の少なくとも一部が塞がれた場合にこれを検出する検出部を設け、
前記制御部は、前記操作部の操作によって前記撮像部による撮影動作を行なう際に前記検出部により前記放音孔の少なくとも一部が塞がれていることが検出された場合に、前記撮像部に撮影動作を行なわせないように制御することを特徴とする撮像機能付き携帯端末装置。
【請求項４】
前記撮像部に撮影動作を行なわせない場合に、その旨を報知する報知部を備えることを特徴とする請求項３に記載の撮像機能付き携帯端末装置。
【発明の詳細な説明】
【技術分野】
【０００１】
本発明は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子を有する撮像部を備えて、撮影動作と同時にスピーカー等の報知部から擬似的な撮影動作音を出力する撮像機能付き携帯端末装置に関するものである。
【背景技術】
【０００２】
従来の撮像機能付き携帯端末装置として、図７に示すように、ＣＣＤやＣＭＯＳ等の撮像素子（不図示）を有する撮像部２が備えられている撮像機能付き携帯電話機４があった（例えば、特許文献１参照）。この撮像機能付き携帯電話機４は、撮像部２が設けられている一方の第１筐体６と、他方の第２筐体８が折畳み自在に連結されていて、撮像部２の撮像レンズ２ａは、第１筐体６と第２筐体８とを互いに折畳んだ状態でも、第２筐体８に覆われることがないように配置されているので、折畳んだ状態又は開いた状態のいずれでも撮影を行なうことができるようになっていた。
【０００３】
そして、図８に示すように、この撮像機能付き携帯電話機４は、その第１筐体６に音声用スピーカー１０及び表示部１２が設けられ、第２筐体８にマイクロホン１４及び操作部１６が設けられていて、第１筐体６と第２筐体８を互いに開いた状態で撮像部２による撮影を行なう場合には、表示部１２がファインダーとして機能するようになっていた。
【０００４】
また、音声用スピーカー１０そのものは、第１筐体６の内部に収納されているが、音声用スピーカー１０から出力される音が第１筐体６の外部に聞こえるようにするため、表示部１２を有する面６ａであって第１筐体６の音声用スピーカー１０に対応する位置には、放音孔１０ａが形成されていた。
【０００５】
第１筐体６における表示部１２の表示面１２ａは、この第１筐体６と第２筐体８とを互いに折畳んだときに、第２筐体８における操作部１６が配置されている操作面８ａに対向する向きとなるように設けられているので、第１筐体６と第２筐体８とを互いに折畳むと、表示部１２の表示面１２ａを見ることができなくなる。
【０００６】
そのため、図７に示すように、第１筐体６における表示部１２の表示面１２ａ側とは反対の背面６ａに副表示部１８が設けられていて、折畳んだ状態のときにはこの副表示部１８がファインダーとして機能して、撮像部２による撮影を行なうことができるようになっていた。
【０００７】
また、この撮像機能付き携帯電話機４は、折畳んだ状態又は開いた状態のいずれの状態でも着信時等の着信音がよく聞こえるようにするために、着信報知用スピーカー２２が第２筐体８の内部に備えられると共に、第２筐体８における操作面８ａとは反対側の背面８ｂ上であって着信報知用スピーカー２２に対応する位置には、第２筐体８の内部と外部が連通するように放音孔２２ａが形成されていた。
【０００８】
また、撮像機能付き携帯電話機４の撮像部２は、他の撮像装置であって感光フィルム等に対し一時的に光を取込んで撮影するようなものと異なり、利用時には不図示の撮像素子に常に光を取込むような構造になっているので、シャッター機構を有していない。したがって、撮影動作を行なっても、シャッター機構による機械的な動作音は発生しない。
【０００９】
このため、撮像部２による撮影動作が実際に行なわれたかどうかを、ユーザーが認識することができるようにするために、図８に示す着信報知用スピーカー２２より、撮像部２の撮影動作と同時に、擬似的な撮影動作音を出力するようになっていた。
【特許文献１】特開２００３−１９８８９２号公報
【発明の開示】
【発明が解決しようとする課題】
【００１０】
しかしながら、このような従来の撮像機能付き携帯電話機４では、ユーザーがこの撮像機能付き携帯電話機４を保持する際に、意図せずに手の指等が着信報知用スピーカー２２の放音孔２２ａを塞いでしまうことがあった。このような場合には、撮影時に着信報知用スピーカー２２から出力される撮影動作音を聞くことができなくなってしまうので、ユーザーは、撮影動作が行なわれたかどうかについて認識することができなくなってしまうという問題があった。
【００１１】
また、特に、着信報知用スピーカー２２の放音孔２２ａを、意図的に手の指やテープ等で塞いで撮影動作音が聞こえないようにすれば、撮影したことを周囲の者に察知されないようにすることができるため、盗撮等の行為に悪用されるおそれがあるという問題があった。
【００１２】
そこで本発明は、上記問題点に鑑みて、ユーザー等が撮影動作音を聞き取ることができないおそれがあるときには、撮影動作を行なわないようにする撮像機能付き携帯端末装置を提供することを課題とするものである。
【課題を解決するための手段】
【００１３】
上記課題を解決するために本発明は、
撮像部と、この撮像部による撮影動作時に擬似的な撮影動作音を出力するスピーカーと、操作部と、前記撮像部及び前記スピーカーのそれぞれを制御する制御部とを筐体に備え、
前記筐体に前記スピーカーの放音孔を有する撮像機能付き携帯端末装置であって、
前記放音孔の少なくとも一部が塞がれた場合にこれを検出する検出部を設け、
前記制御部は、前記操作部の操作によって前記撮像部による撮影を可能とする撮影モードを起動する際に前記検出部により前記放音孔の少なくとも一部が塞がれていることが検出された場合に、前記撮影モードを起動しないように制御することを特徴とするものである。
【００１４】
また、本発明の撮像機能付き携帯端末装置は、前記撮影モードを起動しない場合に、その旨を報知する報知部を備えることを特徴とするものである。
【００１５】
また、本発明の撮像機能付き携帯端末装置は、
撮像部と、この撮像部による撮影動作時に擬似的な撮影動作音を出力するスピーカーと、操作部と、前記撮像部及び前記スピーカーのそれぞれを制御する制御部とを筐体に備え、
前記筐体に前記スピーカーの放音孔を有する撮像機能付き携帯端末装置であって、
前記放音孔の少なくとも一部が塞がれた場合にこれを検出する検出部を設け、
前記制御部は、前記操作部の操作によって前記撮像部による撮影動作を行なう際に前記検出部により前記放音孔の少なくとも一部が塞がれていることが検出された場合に、前記撮像部に撮影動作を行なわせないように制御することを特徴とするものである。
【００１６】
また、本発明の撮像機能付き携帯端末装置は、前記撮像部に撮影動作を行なわせない場合に、その旨を報知する報知部を備えることを特徴とするものである。
【発明の効果】
【００１７】
このような本発明の撮像機能付き携帯端末装置によれば、ユーザー等が撮影動作音を聞き取ることができないおそれがあるときには、カメラモードを起動させないようにしたり、撮影動作を行なわないようにしたりすることができる。
【発明を実施するための最良の形態】
【００１８】
以下、本発明に係る撮像機能付き携帯端末装置の実施の形態について、図面に基づいて具体的に説明する。
【００１９】
図１ないし図４は、本発明の第１の実施の形態に係る撮像機能付き携帯電話機３０（撮像機能付き携帯端末装置に相当）について説明するために参照する図である。これらの図に示す撮像機能付き携帯電話機３０は、従来の撮像機能付き携帯電話機２０と同様の部分には同じ符号を付して説明し、従来と同様の構成についての重複する説明は省略するものとする。
【００２０】
本実施の形態に係る撮像機能付き携帯電話機３０は、様々な機能を備えており、この機能の中から通話機能や撮像機能を利用したいようなときには、これらの機能に対応する通話モードやカメラモードに切換えてから、この通話機能やカメラ機能ごとの操作を行なうようになっている。この通話モードやカメラモード等の切換えは、操作部１６（図８参照）を操作して行なうようになっており、カメラモードを起動させた場合には、操作部１６のいずれかの所定のキーがレリーズボタンとして機能するようになっていて、このレリーズボタンの操作により撮像部２に撮影動作を行なわせるようになっている。
【００２１】
図１に示すように、本実施の形態に係る撮像機能付き携帯電話機３０は、従来の撮像機能付き携帯電話機２０と同様に、一定幅で一定長さを有する円弧状の４つの放音孔２２ａが、同一円周上に等間隔に形成されている。そして、円環形状の光学センサーである検出部３２が、第２筐体８の内部で着信報知用スピーカー２２を囲むように設けられている。この検出部３２は、第２筐体８の背面８ｂ上における放音孔２２ａの外側を囲むような近傍の所定の領域が、周囲から受ける光を遮られた場合に検出動作を行なって、後述の制御部３８にその旨の信号を出力するようになっている。
【００２２】
すなわち、図２に示すように、第２筐体８の背面８ｂ上には、一定幅で一定長さを有する円弧状の４つの検出孔３２ａが、放音孔２２ａの近傍であって、この放音孔２２ａの外側を囲む同一円周上に等間隔で形成されている。検出部３２は、通常時において、この検出孔３２ａを通って第２筐体８内に入る光を受けるようになっているが、この光の一部でも遮られた場合に検出動作を行なうようになっている。
【００２３】
したがって、着信報知用スピーカー２２の放音孔２２ａが、その一部でも手の指等で塞がれた場合には、同時にこの手の指等が検出部３２の検出孔３２ａの一部又は全部を覆うようになるため、検出部３２により、放音孔２２ａが塞がれたことを検出することができるようになっている。
【００２４】
次に、図３は、撮像機能付き携帯電話機３０の回路構成を示すブロック図である。撮像機能付き携帯電話機３０は、既に説明した撮像部２、音声用スピーカー１０、表示部１２、マイクロホン１４、操作部１６、着信報知用スピーカー２２、検出部３２を備えていると共に、通信部３４、記憶部３６、及びこれらを制御する制御部３８を備えている。通信部３４は、一般的な携帯電話機と同様に、通話等の無線通信を行ない、記憶部３６は、撮像部２の撮影画像等を記憶するようになっている。
【００２５】
また、制御部３８は、図４のフローチャートに示すような処理動作を行なうようになっている。
【００２６】
すなわち、ユーザーが操作部１６により、撮像部２による撮影を行なうためのカメラモードを起動する操作を行なうと、制御部３８は、着信報知用スピーカー２２の放音孔２２ａが塞がれているかどうかについて、検出部３２からの出力信号に基づいて判断するようになっている（図４中、ステップＳ１１）。
【００２７】
そして、制御部３８は、着信報知用スピーカー２２の放音孔２２ａが塞がれていないと判断した場合には（ステップＳ１１の開（通常））、カメラモードを起動させるようになっている（ステップＳ１２）。
【００２８】
また、着信報知用スピーカー２２の放音孔２２ａの一部又は全部が塞がれていると判断した場合には（ステップＳ１１の閉（遮蔽））、カメラモードを起動させないようにすると共に、カメラモードを起動することができない旨のメッセージ等を、報知部としての表示部１２に表示させるようになっている（ステップＳ１３）。
【００２９】
このような本実施の形態に係る撮像機能付き携帯電話機３０によれば、着信報知用スピーカー２２がユーザーの手の指等で塞がれたことにより、ユーザー等がこの着信報知用スピーカー２２から出力される撮影動作音を聞き取ることができないおそれがあるときには、カメラモードを起動させないようにすることができる。
【００３０】
また、この撮像機能付き携帯電話機３０を盗撮等の悪質な行為に利用するために、着信報知用スピーカー２２を手の指やテープ等により塞いで、周囲の者に撮影動作音が聞こえないようにしたとしても、このような場合にはカメラモードが起動しないためにカメラ撮影を行なうことができず、このような悪質な行為を防止することができる。
【００３１】
次に、図１ないし図３及び図５に基づいて、本発明の第２の実施の形態に係る撮像機能付き携帯電話機４０（撮像機能付き携帯端末装置に相当）について説明する。本実施の形態に係る撮像機能付き携帯電話機４０は、図１ないし図３に示すように、前記第１の実施の形態に係る撮像機能付き携帯電話機３０と同様に構成されているため、重複する説明は省略するものとする。
【００３２】
撮像機能付き携帯電話機４０の制御部３８は、図５のフローチャートに示すような処理動作を行なうようになっている。
【００３３】
すなわち、撮像部２によるカメラ撮影を行なうためのカメラモードにおいて、操作部１６による撮影の操作が行なわれると、制御部３８は、この操作を検知して（図５中、ステップＳ２１）、直ちに着信報知用スピーカー２２の放音孔２２ａが塞がれているかどうかについて、検出部３２からの出力信号に基づいて判断するようになっている（ステップＳ２２）。
【００３４】
そして、制御部３８は、着信報知用スピーカー２２の放音孔２２ａが塞がれていないと判断した場合には（ステップＳ２２の開（通常））、直ちに撮像部２に撮影動作を行なわせ、撮影した画像を記憶部３６に記憶するようになっている（ステップＳ２３）。
【００３５】
また、着信報知用スピーカー２２の放音孔２２ａが塞がれていると判断した場合には（ステップＳ２２の閉（遮蔽））、撮像部２に撮影動作を行なわせないようにすると共に、撮影することができない旨のメッセージ等を、報知部としての表示部１２に表示させ（ステップＳ２４）、カメラモードを終了するようになっている。
【００３６】
このような本実施の形態に係る撮像機能付き携帯電話機４０によれば、前記第１の実施の形態と同様に、着信報知用スピーカー２２がユーザーの手の指等で塞がれたことにより、ユーザー等がこの着信報知用スピーカー２２から出力される撮影動作音を聞き取ることができないおそれがあるときには、撮影動作を行なわないようにすることができる。
【００３７】
また、前記第１の実施の形態と同様に、この撮像機能付き携帯電話機４０を盗撮等の悪質な行為に利用するために、着信報知用スピーカー２２を手の指やテープ等により塞いで、周囲の者に撮影動作音が聞こえないようにしたとしても、このような場合には撮像部２が撮影動作を行なわないようになっているため、このような悪質な行為を防止することができる。
【００３８】
次に、図６に基づいて、本発明の第３の実施の形態に係る撮像機能付き携帯電話機５０（撮像機能付き携帯端末装置に相当）について説明する。
【００３９】
図６に示すように、本実施の形態に係る撮像機能付き携帯電話機５０は、前記第１及び第２の実施の形態に係る撮像機能付き携帯電話機３０，４０と異なり、音声用スピーカー１０及び表示部１２を有する第１筐体６と、マイクロホン１４及び操作部１６を有する第２筐体８が、第２筐体８における操作面８ａに略垂直な連結軸５２により連結され、この連結軸５２の軸線を中心として互いに回動することができるようになっている。
【００４０】
この撮像機能付き携帯電話機５０は、図６中に示すような第１筐体６と第２筐体８とを互いに開いた状態、または、この開いた状態から第１筐体６を第２筐体８に対して１８０°回転させ、第１筐体６と第２筐体８を互いの厚さ方向に重ねた状態のいずれの状態でも、音声用スピーカー１０及び表示部１２の表示面１２ａが露出するようになっている。
【００４１】
そして、撮像機能付き携帯電話機５０の撮像部２は、第２筐体８に設けられていて、その撮像レンズ２ａが、第２筐体８の背面８ｂ側に露出するように配置されている。また、撮像部２によるカメラ撮影を行なう場合、第１筐体６の音声用スピーカー１０より、撮像部２の撮影動作と同時に報知する撮影動作音を出力するようになっている。
【００４２】
また、この撮像機能付き携帯電話機５０は、検出部３２が、図２に示すように、第１筐体６の内部で音声用スピーカー１０を囲むように設けられている。検出部３２は、第１筐体６における表示面１２ａが露出している面において、放音孔１０ａの外側を囲むような近傍の所定の領域が、周囲から受ける光を遮られた場合に検出動作を行なうようになっている。
【００４３】
すなわち、検出孔３２ａが、放音孔１０ａの近傍であって、この放音孔１０ａの外側を囲む同一円周上に等間隔で形成されている。検出部３２は、通常時において、この検出孔３２ａを通って第１筐体８内に入る光を受けるようになっているが、この光の一部でも遮られた場合に検出動作を行なうようになっている。
【００４４】
そして、撮像機能付き携帯電話機５０の制御部３８は、前記第１の実施の形態に係る撮像機能付き携帯電話機３０の制御部３８と同様に、図４のフローチャートに示す処理動作を行なうようになっている。
【００４５】
このような本実施の形態に係る撮像機能付き携帯電話機５０によれば、前記第１及び第２の実施の形態と同様に、音声用スピーカー１０がユーザーの手の指等で塞がれたことにより、ユーザー等がこの音声用スピーカー１０から出力される撮影動作音を聞き取ることができないおそれがあるときに、カメラモードを起動させないようにすることができる。
【００４６】
また、前記第１及び第２の実施の形態と同様に、この撮像機能付き携帯電話機５０を盗撮等の悪質な行為に利用するために、音声用スピーカー１０を手の指やテープ等により塞いで、周囲の者に撮影動作音が聞こえないようにしたとしても、このような場合にはカメラモードが起動しないためにカメラ撮影を行なうことができず、このような悪質な行為を防止することができる。
【００４７】
次に、図５及び図６に基づいて、本発明の第４の実施の形態に係る撮像機能付き携帯電話機６０（撮像機能付き携帯端末装置に相当）について説明する。
【００４８】
本実施の形態に係る撮像機能付き携帯電話機６０は、図６に示すように、前記第３の実施の形態に係る撮像機能付き携帯電話機５０と同様に構成されているが、その制御部３８は、前記第２の実施の形態に係る撮像機能付き携帯電話機４０の制御部３８と同様に、図５のフローチャートに示す処理動作を行なうようになっている。
【００４９】
このような本実施の形態に係る撮像機能付き携帯電話機６０によれば、前記第１ないし第３の実施の形態と同様に、音声用スピーカー１０がユーザーの手の指等で塞がれたことにより、ユーザー等がこの音声用スピーカー１０から出力される撮影動作音を聞き取ることができないおそれがあるときには、撮影動作を行なわないようにすることができる。
【００５０】
また、前記第１ないし第３の実施の形態と同様に、この撮像機能付き携帯電話機６０を盗撮等の悪質な行為に利用するために、音声用スピーカー１０を手の指やテープ等により塞いで、周囲の者に撮影動作音が聞こえないようにしたとしても、このような場合には撮像部２が撮影動作を行なわないようになっているため、このような悪質な行為を防止することができる。
【００５１】
なお、前記第１ないし第４の実施の形態において、検出部３２は光学センサーであったが、マイクロホン（音センサー）であってもよい。このようなマイクロホンを検出部３２として用いた場合には、この検出部３２が検出孔３２ａを通して周囲の音を検出することができなくなったときに、着信報知用スピーカー２２又は音声用スピーカー１０が塞がれたものとして判断することができる。
【００５２】
また、このような場合には、検出部３２としてのマイクロホンと通話用のマイクロホン１４に入力される周囲の音を互いに比較して、着信報知用スピーカー２２が塞がれたかどうかを判断するようになっていてもよい。
【００５３】
また、検出部３２は、タッチセンサーや圧力センサー等のように、着信報知用スピーカー２２又は音声用スピーカー１０の近傍に、手の指等が接触したこと等を検出するようになっているものであってもよい。
【００５４】
また、前記第１及び第２の実施の形態では、着信報知用スピーカー２２が撮影動作音を出力するようになっているが、前記第３及び第４の実施の形態のように、音声用スピーカー１０が撮影動作音を出力するようになっていると共に、この音声用スピーカー１０の放音孔１０ａが塞がれたことを検出する検出部３２を、音声用スピーカー１０の近傍に設けるようにしてもよい。
【００５５】
また、撮影動作音は、前記第１ないし第４の実施の形態のように、着信報知用スピーカー２２や音声用スピーカー１０のようなスピーカーから出力されるものに限定されず、摩擦音や金属音等を機械的に発生させるようにしたものであってもよい。
【００５６】
また、前記第１ないし第４の実施の形態では、カメラモードを起動することができない旨、又は撮像部２により撮影することができない旨のメッセージ等を、表示部１２に表示するようにして（図４中のステップＳ１３、又は図５中のステップＳ２４）、この表示部１２が報知部として機能するようになっていたが、撮像機能付き携帯電話機３０，４０，５０，６０が通話の着信を知らせるＬＥＤ（発光ダイオード）やバイブレータ等を備えているような場合には、表示部１２に代えて、又は表示部１２と共に、このＬＥＤやバイブレータ等を報知部として動作させることにより、カメラモードを起動することができない旨、又は撮像部２により撮影することができない旨をユーザーに報知するようになっていてもよい。
【００５７】
また、前記第１ないし第４の実施の形態では、本発明を２つの筐体を有する撮像機能付き携帯電話機３０，４０，５０，６０に適用した場合について説明したが、本発明は単一の筐体で構成されるような携帯電話機にも適用することもできる。
【００５８】
また、前記第１ないし第４の実施の形態では、本発明を撮像機能付き携帯電話機３０，４０，５０，６０に適用した場合について説明したが、他の種類の撮像機能付き携帯端末装置についても、本発明を適用することができることはいうまでもない。
【図面の簡単な説明】
【００５９】
【図１】本発明の第１の実施の形態に係る撮像機能付き携帯電話機３０の斜視図である。
【図２】図１に示す放音孔２２ａ及び検出孔３２ａを示す拡大平面図である。
【図３】本発明の第１の実施の形態に係る撮像機能付き携帯電話機３０の回路構成を示すブロック図である。
【図４】本発明の第１又は第３の実施の形態における制御部３８の動作手順を示すフローチャートである。
【図５】本発明の第２又は第４の実施の形態における制御部３８の動作手順を示すフローチャートである。
【図６】本発明の第３の実施の形態に係る撮像機能付き携帯電話機５０の斜視図である。
【図７】従来の撮像機能付き携帯電話機４の斜視図である。
【図８】図７に示す撮像機能付き携帯電話機４を異なる角度から見たときの斜視図である。
【符号の説明】
【００６０】
２  撮像部
２ａ  撮像レンズ
４  撮像機能付き携帯電話機
６  第１筐体
６ａ  背面
８  第２筐体
８ａ  操作面
８ｂ  背面
１０  音声用スピーカー
１０ａ  放音孔
１２  表示部
１２ａ  表示面
１４  マイクロホン
１６  操作部
１８  副表示部
２２  着信報知用スピーカー
２２ａ  放音孔
３０  撮像機能付き携帯電話機
３２  検出部
３２ａ  検出孔
３４  通信部
３６  記憶部
３８  制御部
４０，５０  撮像機能付き携帯電話機
５２  連結軸
６０  撮像機能付き携帯電話機
【図１】
2005244809.tif 000003
【図２】
2005244809.tif 000004
【図３】
2005244809.tif 000005
【図４】
2005244809.tif 000006
【図５】
2005244809.tif 000007
【図６】
2005244809.tif 000008
【図７】
2005244809.tif 000009
【図８】
2005244809.tif 000010